(57)【要約】      （修正有）【課題】送風羽根の収容状態において送風羽根の保護を確実に行うことが可能な携帯型扇風機を提供する。【解決手段】筐体と、筐体の内部に収容され、送風羽根３０が取り付けられる送風器本体２と、送風器本体２が筐体の内部に収容された第１状態から筐体の外部に突出された第２状態へと移行させるための操作部４と、を備えた。筐体及び送風器本体２は箱型形状である。送風器本体２を第２状態の方向に付勢するための捩りバネ５３と、送風器本体２を第１状態に係止させておくロック機構５と、を備え、操作部４の操作によりロック機構５の係止を解除させる。【選択図】図３
0003231801.tif 000002
【実用新案登録請求の範囲】
【請求項１】
筐体と、
筐体の内部に収容され、送風羽根が取り付けられる送風器本体と、
送風器本体が筐体の内部に収容された第１状態から筐体の外部に突出された第２状態へと移行させるための操作部と、を備えた携帯型扇風機。
【請求項２】
前記筐体及び前記送風器本体は箱型形状であることを特徴とする請求項１に記載の携帯型扇風機。
【請求項３】
前記送風器本体を第２状態の方向に付勢するための付勢部材と、
前記送風器本体を第１状態に係止させておくロック機構と、を備え、
前記操作部の操作により前記ロック機構の係止を解除させることを特徴とする請求項１又は２に記載の携帯型扇風機。
【請求項４】
前記付勢部材による付勢力により、前記送風羽根の一部を突出させるように付勢力が設定され、手動操作により送風羽根の全体を突出させることができるように構成されていることを特徴とする請求項３に記載の携帯型扇風機。
【請求項５】
前記送風器本体の前記第１状態から第２状態への移動をガイドするためのガイド機構が前記筐体及び前記送風器本体に設けられていることを特徴とする請求項１〜４のいずれか１項に記載の携帯型扇風機。
【請求項６】
前記送風羽根の回転をオン／オフするための操作スイッチが前記送風器本体に設けられており、前記送風羽根の全体が突出した状態で、前記操作スイッチの操作が可能であることを特徴とする請求項１〜５のいずれか１項に記載の携帯型扇風機。
【請求項７】
前記筐体の側面部に前記操作スイッチを露出させるための開口部が形成されていることを特徴とする請求項６に記載の携帯型扇風機。
【請求項８】
前記送風器本体は、前記送風羽根をガードする羽根ガード部と、前記送風羽根を駆動する駆動部と、前記ロック機構の少なくとも一部と、が設けられていることを特徴とする請求項３に記載の携帯型扇風機。
【請求項９】
前記送風羽根の回転を強制的にオフにする強制オフスイッチを設け、前記送風器本体が前記第２状態から前記第１状態へ移行するときに動作することを特徴とする請求項１〜８のいずれか１項に記載の携帯型扇風機。
【考案の詳細な説明】
【技術分野】
【０００１】
本考案は、持ち運びが可能な携帯型扇風機に関する。
【背景技術】
【０００２】
かかる扇風機として、下記特許文献１に開示される持ち運び可能なハンディタイプの携帯型扇風機があげられる。この扇風機は、支持棒、架台、羽根、羽根をガードする前ガードと後ガードを備えている。さらにヒンジを有しており、扇風機上部がヒンジ周りに回転可能である。扇風機を使用するときは、扇風機上部と支持棒が一直線の状態にし、使用しないときは扇風機上部を１８０゜折り曲げることで収容状態とすることができる。
【先行技術文献】
【特許文献】
【０００３】
【特許文献１】特許第６６８３８７６号
【考案の概要】
【考案が解決しようとする課題】
【０００４】
しかしながら、上記携帯型扇風機は、収容状態も使用状態も送風羽根が外部に露出している状態であり、持ち運び用に使用する扇風機としては、羽根の保護という面では不十分であった。
【０００５】
本考案は上記実情に鑑みてなされたものであり、その課題は、送風羽根の収容状態において送風羽根の保護を確実に行うことが可能な携帯型扇風機を提供することである。
【課題を解決するための手段】
【０００６】
上記課題を解決するため本考案に係る携帯型扇風機は、
筐体と、
筐体の内部に収容され、送風羽根が取り付けられる送風器本体と、
送風器本体が筐体の内部に収容された第１状態から筐体の外部に突出された第２状態へと移行させるための操作部と、を備えたことを特徴とする。
【０００７】
かかる構成による携帯型扇風機の作用・効果を説明する。送風羽根が取り付けられた送風器本体は、筐体内部に収容することができる（第１状態）。従って、扇風機として使用しないときは、コンパクトな形で収まっており、送風羽根が露出しないので適切に保護することができる。扇風機として使用するときは、操作部を操作して送風羽根を筐体から突出させればよい（第２状態）。その結果、送風羽根の収容状態において送風羽根の保護を確実に行うことが可能な携帯型扇風機を提供することができる。
【０００８】
本考案において、前記筐体及び前記送風器本体は箱型形状であることが好ましい。かかる構成により、筐体の内部に送風器本体を収容しやすくなる。
【０００９】
本考案において、前記送風器本体を第２状態の方向に付勢するための付勢部材と、
前記送風器本体を第１状態に係止させておくロック機構と、を備え、
前記操作部の操作により前記ロック機構の係止を解除させることが好ましい。
【００１０】
かかる構成により、第１状態において、送風器本体を安定した状態で筐体内部に保持することができる。また、操作部によりロック機構を解除させることで、付勢部材による付勢力で送風器本体を筐体の外部に突出させることができる。なお、このときの突出態様であるが、送風羽根の全体を突出させてもよいし、一部を突出させてもよい。
【００１１】
本考案において、前記付勢部材による付勢力により、前記送風羽根の一部を突出させるように付勢力が設定され、手動操作により送風羽根の全体を突出させることができるように構成されていることが好ましい。
【００１２】
送風羽根の全体を一気に突出させると衝撃力等により、筐体等の破損を招いたり安全性の点で問題が生じる可能性がある。そこで、付勢部材による突出は途中までとし、残りを手動操作とすることで、上記の問題を解消することができる。
【００１３】
本考案において、前記送風器本体の前記第１状態から第２状態への移動をガイドするためのガイド機構が前記筐体及び前記送風器本体に設けられていることが好ましい。
【００１４】
これにより、安定した状態で送風器本体を第１状態から第２状態へと移動させることができる。
【００１５】
本考案において、前記送風羽根の回転をオン／オフするための操作スイッチが前記送風器本体に設けられており、前記送風羽根の全体が突出した状態で、前記操作スイッチの操作が可能であることが好ましい。
【００１６】
これにより、送風羽根が収容された状態での送風羽根の回転操作を防止することができる。
【００１７】
本考案において、前記筐体の側面部に前記操作スイッチを露出させるための開口部が形成されていることが好ましい。
【００１８】
これにより、送風羽根の全体が露出したときに操作スイッチを操作できるようになるので、誤操作を防止することができる。
【００１９】
本考案に係る前記送風器本体は、前記送風羽根をガードする羽根ガード部と、前記送風羽根を駆動する駆動部と、前記ロック機構の少なくとも一部と、が設けられていることが好ましい。
【００２０】
かかる構成により、羽根ガード部と、前記送風羽根を駆動する駆動部と、前記ロック機構の少なくとも一部をユニット化することができる。
【００２１】
本考案において、前記送風羽根の回転を強制的にオフにする強制オフスイッチを設け、前記送風器本体が前記第２状態から前記第１状態へ移行するときに動作することが好ましい。
【００２２】
かかる構成により、送風羽根が回転したまま送風器本体を筐体に収容させたとしても、強制的に回転をオフにすることができ、安全性等を確保することができる。
【図面の簡単な説明】
【００２３】
【図１】本実施形態に係る携帯型扇風機を前方から見た外観斜視図
【図２】本実施形態に係る携帯型扇風機を後方から見た外観斜視図
【図３】携帯型扇風機を操作部の垂直中心を通る線で切断した縦断面図
【図４】操作部を上方に移動させた直後を示す縦断面図
【図５】係止解除され送風器本体の一部が突出した状態を示す縦断面図
【図６】送風器本体を使用状態の位置まで持ち上げた状態を示す縦断面図
【図７】図３のＡ−Ａ断面図
【図８】突起部の中止で切断した縦断面図（収容状態）
【図９】突起部の中止で切断した縦断面図（使用状態）
【図１０】送風器本体の一部が突出した状態を示す外観正面図
【図１１】送風器本体が使用状態まで突出した状態を示す外観正面図
【図１２】送風器本体が使用状態まで突出した状態を示す外観側面図
【考案を実施するための形態】
【００２４】
本考案に係る携帯型扇風機の好適な実施形態を図面を用いて説明する。図１は、本実施形態に係る携帯型扇風機を前方から見た外観斜視図である。図２は、後方から見た外観斜視図である。ここで前方とは、送風器による風が出てくる方向のことを指す。
【００２５】
携帯型扇風機は、筐体１とその内部に収納される送風器本体２を有する。筐体１及び送風器本体は、箱型あるいは直方体であり、送風器本体２は完全にその内部に収容されうる。送風器本体２には送風器３が設けられている。
【００２６】
筐体１は、前壁部１０、右壁部１１、左壁部１２、後壁部１３を有する。底面には底壁部１４（図３参照）を有するが、上面は送風器本体２が突出できるように開口部が形成される。右壁部には、第１開口部１５と第２開口部１６が形成される。左壁部１２の下方には、操作部４が設けられている。この操作部４は、筐体１に収容されている送風器本体２を筐体１に収容された第１状態から筐体１から突出した第２状態へと移行させるために設けられている。
【００２７】
図１、図２は、送風器本体２が収容された第１状態であるが、図１０、図１１は、送風器本体２が筐体１の外部に突出した第２状態を示す外観図である。図１０は、送風器本体２の一部が突出した状態であり、図１１は、使用状態まで送風器本体２が突出した状態であり、いずれも第２状態であると定義する。
【００２８】
図３は、携帯型扇風機の縦断面図であり、操作部４の垂直中心を通る線で切断した縦断面図である。操作部４は、上下方向にスライド操作可能である。操作部４には、傾斜部４０が一体形成されている。
【００２９】
送風器本体２の下部には、送風器本体２を第１状態に係止しておくためのロック機構５が設けられている。図３に示すように、ロック機構５は、係止レバー５０と、コイルスプリング５１と、係止部５２とを備えている。係止レバー５０は左右方向にスライド移動可能である。係止レバー５０には、軸部５０ａが形成されており、コイルスプリング５１が軸部５０ａに挿入される。コイルスプリング５１の右端部は、バネ受け５４で支持されている。バネ受け５４は、送風器本体２に形成されている。コイルスプリング５１により係止レバー５０は、図３の左方向に付勢されている。
【００３０】
係止レバー５０の下方には係止爪５０ｂが一体形成されており、係止部５２の先端に係止された状態である。係止部５２は、筐体１に設けられている。係止レバー５０の上面にはガイド部２２が設けられ、下面にもガイド部２０，２１が設けられる。これにより、係止レバー５０の左右方向の移動を適切にガイドするようにしている。
【００３１】
ロック機構５の下方、及び送風器本体２の下方には捩りバネ５３（付勢部材に相当）が設けられており、送風器本体２の全体を上方に、すなわち、第２状態の方向に付勢している。図３の状態では、ロック機構５に送風器本体２が係止されているため、送風器本体２は動かないが係止を解除することで送風器本体２を上方に移動させることが可能になる。
【００３２】
送風器本体２の上部には送風器３が設けられる。送風器３は、送風羽根３０と中央部３１が設けられる。送風羽根３０は７枚羽根であるが、羽根の枚数や形状は適宜決めることができる。図７は、図３に示すＡ−Ａ断面図、すなわち、送風器３の回転中心を通る水平線で切断した断面図である。送風器３の中央には駆動モータ３２（送風羽根３０を駆動する駆動部に相当）が設けられ、中央部３１に設けられた軸部３３が駆動モータ３２に結合している。送風羽根３０を駆動するための駆動回路やその他の制御回路は図示していないが送風器本体２の下部に設けられている。
【００３３】
送風器３の前側には前ガード２２が設けられ、後側には後ガード２３が設けられている（図７参照）。また、左右にも右ガード２４と左ガード２５が設けられている。図１に示すように上ガード２６も設けられている。これらの前ガード２２、後ガード２３、右ガード２４、左ガード２５、上ガード２６により送風羽根３０をガードする羽根ガード部を構成する。また、羽根ガード部は送風器本体２の一部でもある。羽根ガード部は、筐体１の内壁面に接するようになっており、送風器本体２を上下動させるときに、がたつきが生じないようにしている。送風器本体２も筐体１と同様に箱型あるいは直方体形状をしている。
【００３４】
図７に示すように、左右のガード２４，２５の後方側に断面コの字の凹溝２７が形成されている。この凹溝２７に嵌まり込む突起部１７が筐体１に形成されている。凹溝２７と突起部１５は、送風器本体２を第１状態と第２状態の間の移動のガイドを行うガイド機構を構成する。突起部１７は、右壁部１１、左壁部１２、後壁部１３を構成する部材（板金）を内側に折り曲げることにより形成できる。あるいは、突起部１７を別部材で構成してもよい。
【００３５】
本実施形態では、後壁部１３を構成する板金の左右端部が折り曲げられており、右壁部１１と左壁部１２と当接する位置にライン２８が形成されている。右壁部１１と左壁部１２もライン２８の位置で内側に折り曲げられており、前述の突起部１７が形成される。
【００３６】
＜操作方法＞
携帯型扇風機を使用するためには、送風器本体２を第２状態に移行させて送風器３の全体を露出させる必要がある。そのために操作部４を操作して上方にスライド移動させる。図３は、送風器本体２が筐体１に収容された状態を示すが、図４は操作部４を上方に移動させた直後を示す断面図である。これにより、操作部４に形成された傾斜部４０が係止レバー５に形成された傾斜部５０ｃを押して、係止レバー５０がコイルスプリング５１の付勢力に抗して右方向に移動する。これにより、係止レバー５０と係止部５２の係止状態が解除される。
【００３７】
図５に示すように、ロック機構５による係止状態が解除されると、捩りバネ５３の付勢力により、送風器本体２が第２状態の方向に移動する。図１０にも示すように、送風器本体２の上部が少し筐体１の上面から突出した状態になる。捩りバネ５３の端部５３ａが底壁部１４に設けられた補強部材１４０に当接している。送風器本体２は、図５に示す状態よりも上方へ移動する付勢力は付与されない。
【００３８】
送風器３の全体を筐体１から完全に露出させるためには、図５（図１０）に示す状態から送風器本体２を手で持ちあげる必要がある。図６は、送風器本体２を手で持ちあげて送風器３として使用可能な状態を示す縦断面図である。図１１及び図１２は、図６の状態に対応した外観図（正面図及び側面図）である。この状態にすることで扇風機としての使用が可能になる。
【００３９】
図１２に示すように、送風器本体２を一番上まで持ち上げたときに操作スイッチ８が第１開口部１５から露出する。この状態で操作スイッチ８を押すことで、送風器３をオンにして送風羽根３０を回転させることができる。操作スイッチ８を押す回数により、風力を変更することができ、電源をオフにすることができる。送風器本体２を使用状態まで持ち上げないと操作スイッチ８を押すことはできないので、送風器３が収容された状態や、送風器３の全体が露出しない状態では操作スイッチ８を押すことができないので、誤操作を防止することができる。
【００４０】
操作スイッチ８の下部には充電端子６が設けられており、不図示の充電コードを接続することで、筐１の内部に設けられた電池を充電することができる。充電端子６は、図１に示す送風器本体２が収容された状態で第２開口部１６から露出しており、充電可能である。また、送風器本体２の使用状態でも図１２に示すように第１開口部１５から露出しており、この位置でも充電が可能である。
【００４１】
図８及び図９は、突起部１７の中心で切断した縦断面図を示す。送風器本体２の左右の下部にロックピン７０が設けられており、コイルスプリング７１により筐体１の内壁面の方向に付勢されている。コイルスプリング７１及びロックピン７０は、ピン収容部７２に収容されている。ピン収容部７２は、送風器本体２に設けられている。突起部１７は、突出高さの低い第１部分１７０と、突起高さの高い第２部分１７１と、第１部分１７０と第２部分７１の境界に位置する凹部１７２を備えている。
【００４２】
図８に示す状態では、ロックピン７０の先端は第１部分１７０の先端に当接している。送風器本体２が上方に移動すると、ロックピン７０の先端も第１部分１７０に当接しながら移動し、ロックピン７０の先端が凹部１７２に嵌まり込んだ時点で送風器本体２の上方への移動が阻止される。図９に示すように、第２部分１７１により、ロックピン７０が更に上方へ移動するのを阻止するストッパーの役割をしている。
【００４３】
＜収容するときの操作＞
次に、送風器本体２を収容するときの操作について説明する。収容するときは、図１１の状態から送風器本体２を手動で筐体１内部に押し込めばよい。押し込むときに、ロックピン７０と凹部１７２の係合状態が解除される。これにより、送風器本体２は突起部１７と凹部２７からなるガイド機構に沿って移動する。その途中で係止レバー５０の係合爪５０ｂが係止部５２の先端部の傾斜面に当接する。これにより、係止レバー５０はコイルスプリング５１の付勢力に抗して図３の右側に移動すると共に係止部５２の先端を係合爪５０ｂが乗り越えて、ロック機構５が係止状態に復帰する。
【００４４】
＜強制オフスイッチについて＞
図３に示すように、送風器本体２の底部に強制オフスイッチ９が設けられており、その先端は補強部材１４０に形成された当接部１４１に当接している。この強制オフスイッチ９が当接部１４１に押されている状態では、送風羽根３０が回転しないようにオフにされる。図６に示すように、強制オフスイッチ９が当接部１４１から離間している状態で操作スイッチ８を押すことで送風羽根３０を回転させることができる。
【００４５】
送風器本体２を収容するときは、操作スイッチ８を操作して送風器３をオフにしてから収容すればよいが、送風器３をオフにしないまま収容してしまうことがありうる。そこで、送風器３のオフを忘れたまま送風器本体２を収容したとしても、上記の強制オフスイッチ９の作用により送風羽根３０の回転を停止させることができ安全であり、且つ充電池を無駄に消耗してしまうことを回避できる。
【００４６】
＜別実施形態＞
本実施形態では、付勢部材である捩りバネ５３により送風器本体２を上方に付勢しているが、付勢部材は設けなくてもよい。その場合は、手動で送風器本体２を移動させることができる。
【００４７】
本実施形態では、操作部４はスライド操作であるが、これに限定されるものではない。例えば、押し釦により係止を解除するような構成を採用してもよい。
【符号の説明】
【００４８】
１        筐体
１０      前壁部
１１      右壁部
１２      左壁部
１３      後壁部
１４      底壁部
１４０    補強部材
１４１    当接部
１５      第１開口部
１６      第２開口部
１７      突起部
１７０    第１部分
１７１    第２部分
１７２    凹部
２        送風器本体
２０，２１，２８      ガイド部
２７      凹溝
３        送風器
４        操作部
４０      傾斜部
５        ロック機構
５０      係止レバー
５１      コイルスプリング
５２      係止部
５３      捩りバネ
５４      バネ受け
１７０    第１部分
１７１    第２部分
１７２    凹部
８        操作スイッチ
９        強制オフスイッチ
【図１】
0003231801.tif 000003
【図２】
0003231801.tif 000004
【図３】
0003231801.tif 000005
【図４】
0003231801.tif 000006
【図５】
0003231801.tif 000007
【図６】
0003231801.tif 000008
【図７】
0003231801.tif 000009
【図８】
0003231801.tif 000010
【図９】
0003231801.tif 000011
【図１０】
0003231801.tif 000012
【図１１】
0003231801.tif 000013
【図１２】
0003231801.tif 000014